(57)【要約】 【課題】  マネキン人形のパーツを容易に交換することができ、上位のパーツの取り外し時に、下位のパーツの外観体裁を良好なものにすることにある。【解決手段】  複数のパーツを連結して構成されるマネキン人形であって、上位のパーツ１１としての頭部や胴部の後端に第一の挿通孔１２を設けると共に、下位のパーツ１３としての首部や腰部の後端に第二の挿通孔１４を設け、連結桿１５を第一の挿通孔１２から第二の挿通孔１４にかけて挿入して、上位のパーツ１１と下位のパーツ１３とを組み付ける構成である。【選択図】        図５
2013183782.tif 000002
【特許請求の範囲】
【請求項１】
複数のパーツを連結して構成されるマネキン人形であって、上位のパーツ（１１）の後端に第一の挿通孔（１２）を設けると共に、下位のパーツ（１３）の後端に第二の挿通孔（１４）を設け、連結桿（１５）を前記第一の挿通孔（１２）から第二の挿通孔（１４）にかけて挿入して、前記上位のパーツ（１１）と下位のパーツ（１３）とを組み付けることを特徴とするマネキン人形。
【請求項２】
連結桿（１５）を直線棒形状とし、下端が開口する第一の挿通孔（１２）を上下方向に沿って設けると共に、上端が開口する第二の挿通孔（１４）を上下方向に沿って設けたことを特徴とする請求項１に記載のマネキン人形。
【請求項３】
連結桿（１５）を略コ字形状とし、夫々の後端が開口する第一の挿通孔（１２）と第二の挿通孔（１４）を、横方向に沿って設けたことを特徴とする請求項１に記載のマネキン人形。
【請求項４】
連結桿（１５）を略Ｌ字形状とし、下端が開口する第一の挿通孔（１２）を上下方向に沿って設けると共に、後端が開口する第二の挿通孔（１４）を横方向に沿って設けたことを特徴とする請求項１に記載のマネキン人形。
【請求項５】
連結桿（１５）を略逆Ｌ字形状とし、上端が開口する第二の挿通孔（１４）を上下方向に沿って設けると共に、後端が開口する第一の挿通孔（１２）を横方向に沿って設けたことを特徴とする請求項１に記載のマネキン人形。
【請求項６】
上位のパーツ（１１）を頭部とすると共に、下位のパーツ（１３）を首部とすることを特徴とする請求項１に記載のマネキン人形。
【請求項７】
上位のパーツ（１１）を胴部とすると共に、下位のパーツ（１３）を腰部とすることを特徴とする請求項１に記載のマネキン人形。
【請求項８】
上位のパーツ（１１）である頭部の下面に、下位のパーツ（１３）である首部の上端部が嵌合する凹部（１６）を設けたことを特徴とする請求項６に記載のマネキン人形。
【発明の詳細な説明】
【技術分野】
【０００１】
本発明は、トルソーやボディを含む所謂マネキン人形の構造に関する。
【背景技術】
【０００２】
マネキン人形は、頭部から脚部に至るまで一体の構成のものだけでなく、衣装の着せ替えの或いは取扱いの利便性に配慮して、頭部、胸部、上肢部、胴部、下肢部の夫々を分離できるようにしたトルソー構造、ボディ構造の構成の製品等、多様である。そして、ポーズの形態によって衣装の印象は大きく左右されるので、特に頭部や上肢部の構成や組み付き方は特に重要である。
【０００３】
処で、頭部には、当然ながら顔面が形成され、髪形が形成されている。これ等の顔面や髪形は一定の個性を発揮するので、マネキン人形の印象を大きく左右することになり、ひいてはボディに着せられた衣装の印象にも影響を及ぼす。従って、着せようとする衣装に適合した頭部が必要となり、更には頭部自体に流行性があることよりして、頭部のみの交換ができるようにすることが要請される。
【０００４】
そこで、図１に示すように、頭部１下面の中心部に係止ピン２を垂下設すると共に、胸部上端の首部３の上面中心に係止孔４を穿ち、係止ピン２を係止孔４に挿し込むことにより頭部１と首部３を連結することが行われている。この形態であれば、必要に応じた様々なデザインの頭部１と交換することができ、レンタル、売却、オーダーを含めて無駄がなく、経済的である。
【０００５】
しかしながら、上記とは全く異なった傾向であるが、前記したように顔面や髪形が一定の個性を発揮するが故の衣装の印象への影響を避ける観点から、そもそも頭部を省略する所謂ヘッドレス構成のマネキン人形も存する。この場合、首部の上面中心の係止孔が露出したままとなるので、極めて不体裁である。
【０００６】
上記した事情は頭部と首部との連結だけに限らず、例えば胴部と腰部との連結にも当てはまる。即ち、腰部に対する胴部の姿勢形態を変更するような場合とか、更には、パンツのみをはかせるために腰部以下の下肢だけを使用する場合とかである。このケースでも、胴部と腰部との連結は、中心に穿たれた孔に連結桿をつなげる手段、或いは上下に凹凸を設ける手段であり、特に下肢だけを使用する場合には、中心の孔或いは凸等が不体裁なものになる。そこでこのような問題に鑑み、従来より以下の如き考案が提案されている。
【先行技術文献】
【特許文献】
【０００７】
【特許文献１】実用新案登録第３１４２４２３号公報
【特許文献２】特開２００３−７９４９４号公報
【発明の概要】
【発明が解決しようとする課題】
【０００８】
即ち、上記特許文献１の考案は、首部にキャップを被せることにより係止孔を隠蔽しようとするものであるが、別製品を用意する費用と組み付けに手間のかかる問題があった。また、特許文献２の発明の如きでは、中心の孔が不体裁なために下肢だけの利用ができず、腰部の改造、廃棄をせざるを得ない。
【０００９】
よって本発明は、複数のパーツで構成されるマネキン人形にあって、上位のパーツと下位のパーツとを容易に交換することができ、上位のパーツの不使用時に下位のパーツの外観体裁を良好なものにすることにある。
【課題を解決するための手段】
【００１０】
上記の問題を解決するために、本発明のマネキン人形は、複数のパーツを連結して構成されるマネキン人形であって、上位のパーツの後端に第一の挿通孔を設けると共に、下位のパーツの後端に第二の挿通孔を設け、連結桿を前記した第一の挿通孔から第二の挿通孔にかけて挿入して、上位のパーツと下位のパーツとを組み付けることを特徴とする構成である。
【００１１】
この場合、連結桿を直線棒形状とし、下端が開口する第一の挿通孔を上下方向に沿って設けると共に、上端が開口する第二の挿通孔を上下方向に沿って設けたことを特徴とする構成である。
【００１２】
或いは、連結桿を略コ字形状とし、夫々の後端が開口する第一の挿通孔と第二の挿通孔を、横方向に沿って設けたことを特徴とする構成である。
【００１３】
更には、連結桿を略Ｌ字形状とし、下端が開口する第一の挿通孔を上下方向に沿って設けると共に、後端が開口する第二の挿通孔を横方向に沿って設ける。または、連結桿を略逆Ｌ字形状とし、上端が開口する第二の挿通孔１４を上下方向に沿って設けると共に、後端が開口する第一の挿通孔を横方向に沿って設ける。
【００１４】
上位のパーツを頭部とすると共に、下位のパーツを首部とする。
【００１５】
或いは、上位のパーツを胴部とすると共に、下位のパーツを腰部とする。
【００１６】
頭部の下面に、首部の上端部が嵌合する凹部を設けたことを特徴とする構成とする。
【発明の効果】
【００１７】
本発明のマネキン人形は上述した構成であるので、上位のパーツと下位のパーツとは、夫々の後端に設けられた第一の挿通孔と第二の挿通孔に連結桿を挿入するだけで確実に組み付けることができ、着脱が極めて容易であるばかりでなく、下位のパーツのみを使用する場合に、開設された下位のパーツの第二の挿通孔は後端に設けられているので、正面は勿論のこと側面からも殆ど視認されず、極めて体裁の好いものになる。
【００１８】
また、頭部と首部は、首部と凹部との嵌合により確実に組み付き、連結桿の軸芯は首部後端と頭部後端に位置するので、頭部が回転したり位置ずれすることはなく、首上端部分に線状に組み付け線が形成されるだけであるので、不自然さはなく、不体裁なこともない。
【図面の簡単な説明】
【００１９】
【図１】従来例を示す斜視図である。
【図２】本発明の頭部と首部との組み付け前の状態を示す後方から見た分解斜視図である。
【図３】図２の組み付け途中の斜視図である。
【図４】図２の組み付け状態の後面図である。
【図５】図２の組み付け状態を示す断面図である。
【図６】連結桿の他の実施例を示す断面図である。
【図７】連結桿の更に他の実施例を示す断面図である。
【図８】胴部と腰部との組み付け状態を示す断面図である。
【図９】帽子用のアタッチリングを示す斜視図である。
【発明を実施するための形態】
【００２０】
本発明のマネキン人形１０は、トルソー構造、ボディ構造を含む複数のパーツを連結して構成されるものであって、上位のパーツ１１の後端に第一の挿通孔１２を設けると共に、下位のパーツ１３の後端に第二の挿通孔１４を設け、連結桿１５を第一の挿通孔１２から第二の挿通孔１４にかけて挿入して、上位のパーツ１１と下位のパーツ１３とを組み付ける構成である。
【００２１】
図２乃至図５は、上位のパーツ１１として頭部、下位のパーツ１３として胴部から連続する首部を示したものであり、連結桿１５を直線棒形状とし、上位のパーツ１１である頭部の後端には下端が開口する第一の挿通孔１２を上下方向に沿って設けると共に、この第一の挿通孔１２に対応して、下位のパーツ１３である首部の後端には上端が開口する第二の挿通孔１４を上下方向に沿って設ける。また、上位のパーツ１１である頭部の下面には、下位のパーツ１３である首部の上端部が嵌合する凹部１６を設ける。
【００２２】
そして、連結桿１５を第一の挿通孔１２から第二の挿通孔１４にかけて挿入すると共に、下位のパーツ１３である首部の上端部を凹部１６に嵌合して、上位のパーツ１１と下位のパーツ１３とを組み付けるのである。
【００２３】
図６は、連結桿１５を略コ字形状とした場合を示すもので、上位のパーツ１１である頭部の後端には後端が開口する第一の挿通孔１２を横方向に沿って設けると共に、下位のパーツ１３である首部の後端には後端が開口する第二の挿通孔１４を横方向に沿って設けた構成であり、略コ字形状の連結桿１５を第一の挿通孔１２と第二の挿通孔１４に「かすがい」状に挿入し、上位のパーツ１１と下位のパーツ１３とを組み付けるのである。
【００２４】
図７は、連結桿１５を略逆Ｌ字形状とした場合を示すもので、下位のパーツ１３の後端に、上端が開口する第二の挿通孔１４を上下方向に沿って設けると共に、上位のパーツ１１の後端に、後端が開口する第一の挿通孔１２を横方向に沿って設けた構成であり、連結桿１５を第一の挿通孔１２と第二の挿通孔１４に挿入し、上位のパーツ１１と下位のパーツ１３とを組み付けるのである。また、連結桿１５を略Ｌ字形状の構成としても良い（図示省略）。この場合は、上位のパーツ１１の後端に、下端が開口する第一の挿通孔１２を上下方向に沿って設けると共に、下位のパーツ１３の後端に、後端が開口する第二の挿通孔１４を横方向に沿って設けることになる。
【００２５】
図８は、上位のパーツ１１として胴部、下位のパーツ１３として腰部を示したものであり、上位のパーツ１１である胴部の後端には下端が開口する第一の挿通孔１２を上下方向に沿って設けると共に、この第一の挿通孔１２に対応して、下位のパーツ１３である腰部の後端には上端が開口する第二の挿通孔１４を上下方向に沿って設け、連結桿１５を直線棒形状としたものである。
【００２６】
ここでも第一の挿通孔１２と第二の挿通孔１４は夫々後端に位置しているので、下位のパーツ１３である腰部のみのトルソー形態としても目立つことはなく、上面が平坦であるので外観体裁が良く、再利用の範囲が広くなる。また、図８では連結桿１５を直線棒形状としたが、図６の如く略コ字形状、図７の如く略逆Ｌ字形状または略Ｌ字形状としても良い。
【実施例１】
【００２７】
特に、図２乃至図５の形態では、第一の挿通孔１２、第二の挿通孔１４を横断面で四角形状或いは楕円形状とすると共に、連結桿１５をこれに対応して角棒形状或いは楕円棒形状としても良い。これは、挿入時の連結桿１５の軸回転を防ぎ、形態の安定性を図るためである。
【００２８】
連結桿１５は上位のパーツ１１と下位のパーツ１３に着脱自在とすることにより、両パーツを分解し、独立して使用できるためのものであるが、独立して使用する公算の低い上位のパーツ１１に対しては、連結桿１５を予め固定しておいても良い。
【００２９】
マネキン人形では、ヘッドレスでありながらも衣装との兼ね合いで、衣装にフィットした帽子を飾る場合が出てくる。即ち、頭部の個性をなくしながらも帽子のみを装着する場合であり、図９は、帽子を飾る用具としての帽子用のアタッチリング１７の連結桿を第一の挿通孔１２に挿入した状態を示すものである。
【符号の説明】
【００３０】
１０  マネキン人形
１１  上位のパーツ
１２  第一の挿通孔
１３  下位のパーツ
１４  第二の挿通孔
１５  連結桿
１６  凹部
１７  アタッチリング
【図１】
2013183782.tif 000003
【図２】
2013183782.tif 000004
【図３】
2013183782.tif 000005
【図４】
2013183782.tif 000006
【図５】
2013183782.tif 000007
【図６】
2013183782.tif 000008
【図７】
2013183782.tif 000009
【図８】
2013183782.tif 000010
【図９】
2013183782.tif 000011